(57)【要約】【課題】簡単な構造で家屋の十分な換気を行うことができる換気棟構造を提供すること。【解決手段】屋内と屋外とを仕切る野地板１１の棟部に設けられた換気スリット１２と、換気スリット１２の上方に配置されると共に、上下通流孔３２が形成された垂木３０と、垂木３０の側面側から桟瓦１４の上面に渡って設けられた防水面戸６０と、垂木３０及び面戸部材６０を覆うと共に、垂木３０との間に所定の隙間を有した状態で支持される冠瓦７０と、換気スリット１２に跨って配置され、換気スリット１２の上方から滴下する水を野地板１１上側に排水する共に、換気スリット１２側と垂木３０の下面側との空気の流通を図る換気部４２が設けられた水切り部材４０とを備えている。【選択図】図２
2007321466.tif 000002
【特許請求の範囲】
【請求項１】
屋内と屋外との間で空気の流通を行う換気棟の水切り部材において、
野地板の換気スリットに跨って配置されるとともに、当該換気スリットの長手方向に沿って延設され、水平方向に対して傾斜し、少なくともその下端部が前記野地板の上方に位置する傾斜面を有するとともに、この傾斜面の下端部と前記野地板との間に換気部位を有するカバー部と、
このカバー部の両端側に隣接して設けられ、前記換気スリットに跨って配置されるとともに、当該換気スリットの長手方向に沿って延設され、前記野地板上面に配置されるベロ部と、
前記カバー部と前記ベロ部との間を接続するとともに、少なくとも幅方向の寸法が前記換気スリットの幅方向の寸法より大きく形成された側面カバー部とを備え、
前記カバー部、ベロ部、側面カバー部は、透湿性又は防水性の材料で形成されていることを特徴とする水切り部材。
【請求項２】
前記換気部位には、換気部材が設けられていることを特徴とする請求項１に記載の水切り部材。
【請求項３】
屋内と屋外との間で空気の流通を行う換気棟の水切り部材において、
野地板の換気スリットに跨って配置されるとともに、当該換気スリットの長手方向に沿って延設され、少なくとも幅方向の両端部を前記野地板の上方に位置させるとともに防水性又は透湿性材料にて形成された可撓性を有するカバーシートと、
このカバーシートの下面側に、かつ、カバーシートの長手方向中央部に配置され、前記シートの両端部が上記野地板と間隙を形成する換気部材とを備えていることを特徴とする水切り部材。
【請求項４】
上記換気部材は、網状帯であることを特徴とする請求項２又は３に記載の水切り部材。
【請求項５】
上記換気部材は、樹脂材製の中空体であることを特徴とを備えることを特徴とする請求項２又は３に記載の水切り部材。
【発明の詳細な説明】
【技術分野】
【０００１】
本発明は、家屋の棟部における換気棟構造に設けられる水切り部材に関し、特に換気効率を向上させることができるものに関する。
【背景技術】
【０００２】
家屋の棟部においては、雨水が家屋内に侵入するのを防止するため、土、なんばん、しっくい等を用いて隅瓦と垂木との隙間を固める湿式工法が従来から用いられていた。しかしながら、湿式工法では、屋内の換気を行うことが困難であるため、近年では、換気機能を有する換気棟構造が採用されつつある（例えば、特許文献１、２参照）。
【０００３】
図１５は、このような換気棟構造の一例を示す図である。屋根の基本構成となる野地板１００の棟部１０１に換気スリット１０２が形成されている。この換気スリット１０２に跨るようにして棟金具１０３が設けられ、この棟金具１０３により水平方向に配置された垂木１０４が支持されている。垂木１０４の上側から冠瓦１０５により覆われている。また、野地板１００上には、桟木１１０が取り付けられ、この桟木１１０に桟瓦１１１が取り付けられている。なお、図中Ｐは屋内から屋外への換気経路を示している。
【特許文献１】特許第２９０１１８０号明細書
【特許文献２】特許第３５８３１１１号明細書
【発明の開示】
【発明が解決しようとする課題】
【０００４】
上述した換気機能を有する棟構造には、次のような問題があった。すなわち、屋内から屋外への換気経路Ｐが複雑で十分な換気を行うことができなかった。また、金具類を多用した複雑な構造であるため、コストが高くなるため、大棟の水平方向全体に渡って取り付けることができず、換気効率を高めることができないという問題もあった。さらに、隅棟に換気通路を形成すると十分に防水することができないため、換気機能を付けることが難しかった。また、換気スリット１０２上に水切り部材を用いた場合には、垂木を支持するための垂木支持金具を水切り部材に直接取り付けなければならず、十分な剛性を有する水切り部材を用いなければ鳴らず、製造コストが高くなるという問題があった。
【０００５】
そこで、本発明は低コストで施工できるとともに、家屋の十分な換気を行うことができる水切り部材を提供することを目的としている。
【課題を解決するための手段】
【０００６】
前記課題を解決し目的を達成するために、本発明の水切り部材は次のように構成されている。
【０００７】
屋内と屋外との間で空気の流通を行う換気棟の水切り部材において、野地板の換気スリットに跨って配置されるとともに、当該換気スリットの長手方向に沿って延設され、水平方向に対して傾斜し、少なくともその下端部が前記野地板の上方に位置する傾斜面を有するとともに、この傾斜面の下端部と前記野地板との間に換気部位を有するカバー部と、このカバー部の両端側に隣接して設けられ、前記換気スリットに跨って配置されるとともに、当該換気スリットの長手方向に沿って延設され、前記野地板上面に配置されるベロ部と、前記カバー部と前記ベロ部との間を接続するとともに、少なくとも幅方向の寸法が前記換気スリットの幅方向の寸法より大きく形成された側面カバー部とを備え、前記カバー部、ベロ部、側面カバー部は、透湿性又は防水性の材料で形成されていることを特徴とする。
【０００８】
屋内と屋外との間で空気の流通を行う換気棟の水切り部材において、野地板の換気スリットに跨って配置されるとともに、当該換気スリットの長手方向に沿って延設され、少なくとも幅方向の両端部を前記野地板の上方に位置させるとともに防水性又は透湿性材料にて形成された可撓性を有するカバーシートと、このカバーシートの下面側に、かつ、カバーシートの長手方向中央部に配置され、前記シートの両端部が上記野地板と間隙を形成する換気部材とを備えていることを特徴とする。
【発明の効果】
【０００９】
本発明によれば、低コストで施工できるとともに、家屋の十分な換気を行うことが可能となる。
【発明を実施するための最良の形態】
【００１０】
図１は本発明の第１の実施の形態に係る水切り部材２０が組み込まれた換気棟構造である大棟１０を示す断面図、図２は水切り部材２０を示す斜視図、図３は水切り部材２０を連続して設置した状態を示す斜視図、図４は水切り部材２０の野地板１１，１１の設置例を示す斜視図である。
【００１１】
図１に示すように、換気棟構造を有する大棟１０は、屋内と屋外とを仕切る一対の野地板１１，１１により形成されている。一対の野地板１１，１１は、換気スリット１２を空けて対向配置されている。野地板１１，１１上には複数の桟木１３が設けられており、これら桟木１３に桟瓦１４が支持されている。桟木１３には、通風孔１３ａが設けられている。
【００１２】
換気スリット１２に跨って複数の垂木支持金具１５が所定間隔で配置されており、これら複数の垂木支持金具１５に渡って垂木１６が取り付けられている。垂木１６の上部には冠瓦１７が載置されている。
【００１３】
換気スリット１２を跨って水切り部材２０が単体又は複数枚配置されている。水切り部材２０は、図２に示すように、換気スリット１２の長手方向に沿って配置され、上方から滴下した水を側方、すなわち野地板１１，１１上面へ排水する山形のカバー部２１と、このカバー部２１の端面に設けられた鉛直方向に延びる側面カバー２２と、この側面カバー２２の下端に設けられ、野地板１１の上面に沿って形成された傾斜面を有するベロ部２３とを備えている。なお、カバー部２１の傾斜面の下端部２１ａは野地板１１の上方に位置し、下端部２１ａと野地板１１との間には換気部２４が形成される。
【００１４】
これにより、図１に示すように、換気スリット１２から野地板１１，１１と桟瓦１４の間を通り、桟木１３の通風孔１３ａを連通し、垂木１６の下部に空気を流通させる換気経路Ｐが形成される。
【００１５】
なお、側面カバー２２は、カバー部２１とベロ部２３との間を接続するとともに、その幅方向の寸法が換気スリット１２の幅方向の寸法より大きく形成されることで、ベロ部２３上に滴下した排水が換気スリット１２に流入させない機能を有している。
【００１６】
水切り部材２０は、カバー部２１を中心にして両端部に側面カバー２２及びベロ部２３が連続し、防水性又は透湿性のあるプラスチック材等で一体に形成されている。なお、防水性又は透湿性がある材質であれば他の部材でもよい。また、複数の板材を組み合せて構成してもよい。
【００１７】
このように構成された水切り部材２０は、次のようにして施工される。すなわち、図３及び図４に示すように、換気スリット１２上方にカバー部２１が位置するように配置し、隣接するベロ部２３が重複させて取り付ける。重複したベロ部２３上を通して垂木支持金具１５を野地板１１にネジ止め固定する。
【００１８】
上述した水切り部材２０を用いた大棟１０においては、屋内の空気が換気スリット１２から水切り部材２０の換気部２４を通り、野地板１１，１１と桟瓦１４の間の空間に達する。そして、桟木１３の通風孔１３ａを通り垂木１６の下部に空気を流通することが可能である。
【００１９】
なお、強風時に雨水等が大棟１０に吹き込んできても、水切り部材２０のカバー部２１により上方からの雨水は野地板１１へ排水し、換気スリット１２へ流れ込むことは無い。また、斜め上方からの雨水等は側面カバー２２やベロ部２３により野地板１１に流すことができ、換気スリット１２へ流れ込むことは無い。さらに、カバー部２１の下面に生じた結露は、傾斜に沿って野地板１１に流れる水滴が換気スリットから屋内に滴下することはない。
【００２０】
上述したように、水切り部材２０を用いた大棟１０では止水効果等の基本的な機能を維持しつつ、屋内の空気が屋外へ抜ける換気経路Ｐを単純化することができ、換気効率を向上させることができる。
【００２１】
また、野地板１１に水切り部材２０を固定する際、例えば垂木支持金具１５やビスでベロ部２３を固定するので、複雑な構造をもつものに比べ、施工コストが低減される。水切り部材２０の施工時間の短縮にもなる。水切り部材２０を複数枚設置するときは、ベロ部２３を重複させることができ、隙間が生じない。したがって、防水シートを用いることなく、隣接した水切り部材２３を接続することができ、複数設置させる場合でも簡単に施工することができる。
【００２２】
水切り部材２０を例えばプラスチックで形成することにより、水切り部材２０の製作コストを低減できる。さらに、水切り部材２０の重量も軽減できる。また水切り部材２０の材質を１種類で製作できる。そのため、水切り部材２０は製作及び施工コストが低減できるため、水切り部材２０は数多くの換気棟を設置することができる。
【００２３】
上述したように、本発明の第１の実施の形態に係る水切り部材２０が適用された換気棟構造の大棟１０においては、簡単な構造で家屋の換気を行うことが可能となり、施工に伴うコストや、水切り部材２０の重量を低減することができる。そのため、より多くの換気スリット１２及び水切り部材２０を設置することができ、換気効率を向上させることができる。
【００２４】
また、図４に示すように、上部から流れ込んできた雨水は側面カバー２２の部分で野地板１１に流すことができ、斜度を有する隅棟１０Ａに用いても止水効果を損なうことがない。このため、水切り部材２０は、大棟１０の他、隅棟１０Ａにも適用可能である。水切り部材２０を隅棟１０Ａに設置することにより換気効率を更に向上させることができる。
【００２５】
なお、本発明は前記実施の形態に限定されるものではない。例えば上述した例では、水切り部材２０の材料をプラスチックとしたが、これは、透湿性及び防水性材料であればプラスチックでなくても適用できる。また、上述した例では、水切り部材２０の上面には桟木１３が設けられているが、図５及び図６に示すように、水切り部材２０は、桟木１３を野地板１１，１１に直接設置可能な大きさで構成されても適用できる。このときの換気経路Ｐは、図５に示すように、換気スリット１２から水切り部材２０を通り、水切り部材２０、野地板１１、及び桟瓦１４の隙間を通り、垂木１６の下部に空気を流通することができる。
【００２６】
また、換気部２４の位置に後述する網状帯や中空体等の換気部材を設けるようにしてもよい。例えば、カバー部２１の傾斜角度と野地板１１，１１の角度が異なっている場合であっても隙間を形成できるため、換気経路Ｐを確保することができる。
【００２７】
図７は、本発明の第２の実施の形態に係る水切り部材３０が適用された換気棟構造である大棟１０を示す断面図、図８は同水切り部材３０の斜視図である。なお、これらの図において、図１及び図２と同一機能部分には同一符号を付し、その詳細な説明は省略する。
【００２８】
図７及び図８に示すように、水切り部材３０は、換気スリット１２に跨って、かつ、その長手方向に沿って配置されるとともに、その幅方向の両端部３１ａが野地板１１，１１上となるように配置されたカバーシート３１と、カバーシート３１の長手方向中央部に配置されカバーシート３１の両端部３１ａが野地板１１と所定の間隙を形成するように設けられた網状帯（換気部材）３２とを備えている。
【００２９】
カバーシート３１は、透湿性で、かつ、可撓性を有する素材で形成されており、野地板１１の形状に倣って配置されている。また、カバーシート３１の長手方向の側端部３３は、野地板１１に直接接している。
【００３０】
網状帯３２は、カバーシート３１の形状を一定に保つ機能を有するとともに、空気が通流する間隙を確保する機能を有している。また、側端部３３は、排水がカバーシート３１の下面に入ることを防止する機能を有している。
【００３１】
このように構成された水切り部材３０は、次のようにして施工される。すなわち、前述した水切り部材２０と同様に、換気スリット１２上方にカバーシート３１が位置するように配置し、隣接する側端部３３を重複させて取り付ける。重複した側端部３３上を通して垂木支持金具１５を野地板１１にネジ止め固定する。
【００３２】
上述した水切り部材３０を用いた大棟１０においては、屋内の空気が換気スリット１２から水切り部材３０の網状帯３２を通り、野地板１１，１１と桟瓦１４の間の空間に達する。そして、桟木１３の通風孔１３ａを通り垂木１６の下部に空気を流通することが可能である。また、カバーシート３１は透湿性を有しているため、屋内の湿気は換気経路Ｐ又はカバーシート３１から屋外へと排出されるが、外部の雨水等は止水可能となる。
【００３３】
なお、カバーシート３１は可撓性を有しているためその形状は簡易に変形可能である。そのため、水切り部材３０は野地板１１の形状に合わせて施工時に斜度を設けることが可能となる。したがって、汎用性が高くなり、製造コストを低減することができる。
【００３４】
上述したように、本第２実施の形態によれば、より軽量で低コストの水切り部材３０が得られる。また、建造物等の屋根は傾斜が様々な角度であるが、材料に透湿布等を使用することにより、水切り部材３０は可変可能であり、あらゆる傾斜にも対応できる。
【００３５】
なお、本発明は前記の実施の形態に限定されるものではない。例えば、上述した例では材料は透湿布を使用すると説明したが、透湿材又は防水材であればプラスチック等でも適用可能である。
【００３６】
また上述した例では、水切り部材３０の上面には桟木１３が設けられているが、図９及び図１０に示すように、水切り部材３０は、桟木１３を野地板１１，１１に直接設置可能な大きさで構成されても適用できる。このときの換気経路Ｐは、図９に示すように、換気スリット１２から水切り部材３０を通り、水切り部材３０、野地板１１、及び桟瓦１４の隙間を通り、垂木１６の下部に空気を流通することができる。
【００３７】
図１１は、本発明の第３の実施の形態に係る水切り部材４０が適用された換気棟構造である大棟１０を示す断面図、図１２は同水切り部材４０を示す斜視図である。なお、これらの図において、図７及び図８又と同一機能部分には同一符号を付した。
【００３８】
図１１及び図１２に示すように、水切り部材４０は、換気スリット１２に跨って、かつ、その長手方向に沿って配置されるとともに、その幅方向の両端部３１ａが野地板１１，１１上となるように配置されたカバーシート３１と、カバーシート３１の長手方向中央部に配置されカバーシート３１の両端部３１ａが野地板１１と所定の間隙を形成するように設けられた網状帯（換気部材）３２及び樹脂材製の中空体（換気部材）４１とを備えている。
【００３９】
カバーシート３１は、透湿性で、かつ、可撓性を有する素材で形成されており、野地板１１の形状に倣って配置されている。また、カバーシート３１の長手方向の側端部３３は、野地板１１に直接接している。
【００４０】
網状帯３２は、カバーシート３１の形状を一定に保つ機能を有するとともに、空気が通流する間隙を確保する機能を有している。また、中空体４１は、カバーシート３１の両端部３１ａの形状を一定に保つ機能を有するとともに、空気が通流する間隙を確保する機能を有している。また、側端部３３は、排水がカバーシート３１の下面に入ることを防止する機能を有している。
【００４１】
このように構成された水切り部材４０は、次のようにして施工される。すなわち、前述した水切り部材３０と同様に、換気スリット１２上方にカバーシート３１が位置するように配置し、隣接する側端部３３を重複させて取り付ける。重複した側端部３３上を通して垂木支持金具１５を野地板１１にネジ止め固定する。
【００４２】
上述した水切り部材４０を用いた大棟１０においては、屋内の空気が換気スリット１２から水切り部材４０の網状帯３２及び中空帯４１を通り、野地板１１，１１と桟瓦１４の間の空間に達する。そして、桟木１３の通風孔１３ａを通り垂木１６の下部に空気を流通することが可能である。また、カバーシート３１は透湿性を有しているため、屋内の湿気は換気経路Ｐ又はカバーシート３１から屋外へと排出されるが、外部の雨水等は止水可能となる。
【００４３】
上述したように、本第３実施の形態に係る水切り部材３０においても、上述した第２実施の形態に係る水切り部材４０と同様の効果を得ることができる。また、中空体４１を用いることで、桟木１３を直接、カバーシート３１上に設置することも可能となり、野地板１１に当接する面が安定し、桟瓦１４を設置しても安定性を得ることが可能となる。
【００４４】
また上述した例では、水切り部材２０の上面には桟木１３が設けられているが、図１３及び図１４に示すように、水切り部材２０は、桟木１３を野地板１１，１１に直接設置可能な大きさで構成されても適用できる。このときの換気経路Ｐは、図１３に示すように、換気スリット１２から水切り部材２０を通り、水切り部材２０、野地板１１、及び桟瓦１４の隙間を通り、垂木１６の下部に空気を流通することができる。
【００４５】
なお、本発明は前記実施の形態に限定されるものではなく、上述した例を各種組み合せて実施してもよい。この他、本発明の要旨を逸脱しない範囲で種々変形実施可能であるのは勿論である。
【図面の簡単な説明】
【００４６】
【図１】本発明の第１の実施の形態に係る水切り部材が組み込まれた大棟を示す断面図。
【図２】同水切り部材を示す斜視図。
【図３】同水切り部材を連続して配置する場合を示す斜視図。
【図４】同水切り部材の設置例を示す斜視図。
【図５】変形例に係る水切り部材が組み込まれた大棟を示す断面図。
【図６】同水切り部材を示す斜視図。
【図７】本発明の第２の実施の形態に係る水切り部材が組み込まれた大棟を示す断面図。
【図８】同水切り部材を示す斜視図。
【図９】変形例に係る水切り部材が組み込まれた大棟を示す断面図。
【図１０】同水切り部材を示す斜視図。
【図１１】本発明の第３の実施の形態に係る水切り部材が組み込まれた大棟を示す断面図。
【図１２】同水切り部材を示す斜視図。
【図１３】変形例に係る水切り部材が組み込まれた大棟を示す断面図。
【図１４】同水切り部材を示す斜視図。
【図１５】従来の換気棟構造を示す断面図。
【符号の説明】
【００４７】
１０…大棟、１１…野地板、１２…換気スリット、１５…垂木支持金具、１６…垂木、２０，３０，４０…水切り部材、２１…カバー部、３１，４１…カバーシート、３２…網状帯、４１…中空体。
【図１】
2007321466.tif 000003
【図２】
2007321466.tif 000004
【図３】
2007321466.tif 000005
【図４】
2007321466.tif 000006
【図５】
2007321466.tif 000007
【図６】
2007321466.tif 000008
【図７】
2007321466.tif 000009
【図８】
2007321466.tif 000010
【図９】
2007321466.tif 000011
【図１０】
2007321466.tif 000012
【図１１】
2007321466.tif 000013
【図１２】
2007321466.tif 000014
【図１３】
2007321466.tif 000015
【図１４】
2007321466.tif 000016
【図１５】
2007321466.tif 000017